(57)【要約】【課題】  静電気による誤動作発生を防ぐと共に、ディスクの所謂なだれ込み現象を解消すること。【解決手段】  合成樹脂製筐体１内の装置本体２に隣接する電子部品付き主プリント基板４が天板部１ａ及び底板部１ｂの他方側壁３１，３２に接近して配置され、主プリント基板４に対向して該主プリント基板４よりも広幅の静電防止板３６が他方側壁３１，３２に接近して天板部１ａに垂設されると共に、該静電防止板３６の下端が主プリント基板４の近傍まで延ばされ、筐体１内に収納されているトレイ７の後部に接近して前記天板部１ａに突起部２４ａ〜２４ｃが一体突設されると共に、該突起部２４ａ〜２４ｃの下端がトレイ７の上面７ｂよりも下方に位置決めされている。【選択図】        図２
2006196102.tif 000002
【特許請求の範囲】
【請求項１】
天板部及び底板部と前面板部とにより矩形箱状の合成樹脂製筐体が形成され、該筐体内
に装置本体が天板部及び底板部の一方側壁に接近して配置されると共に、その筐体内の装
置本体に隣接する電子部品付き主プリント基板が天板部及び底板部の他方側壁に接近して
配置され、前記装置本体が、ディスク載置用トレイを前後進可能に支持するメインシャー
シと、該メインシャーシに上下動可能に枢支されて光ピックアップ及びターンテーブルを
搭載したドライブシャーシとを有しており、ターンテーブルによりディスクを高速回転さ
せ、該ディスクに記録されている情報を光ピックアップで読み取るプレイモードからアン
ローディング信号に基づいてドライブシャーシを下動させることにより、ターンテーブル
からトレイにディスクを受け渡した後、該トレイを前面板部のディスク取出口を通って前
進させ、そのトレイからディスクを取り出し新たなディスクをトレイ上に載置し、電源オ
フによりドライブシャーシを下動状態で停止させトレイを後進側に強制的に押し込んだと
きに、そのトレイが筐体内に戻るように形成されたディスク装置において、前記主プリン
ト基板に対向して該主プリント基板よりも広幅の静電防止板が天板部及び底板部の他方側
壁に接近して天板部に垂設されると共に、該静電防止板の下端が主プリント基板の近傍ま
で延ばされ、筐体内に収納されているトレイの後部に接近して前記天板部に突起部が一体
突設されると共に、該突起部の下端がトレイの上面よりも下方に位置決めされていること
を特徴とするディスク装置。
【請求項２】
天板部及び底板部と前面板部とにより矩形箱状の合成樹脂製筐体が形成され、該筐体内
に装置本体が天板部及び底板部の一方側壁に接近して配置されると共に、その筐体内の装
置本体に隣接する電子部品付き主プリント基板が天板部及び底板部の他方側壁に接近して
配置され、前記装置本体が、ディスク載置用トレイを前後進可能に支持するメインシャー
シと、該メインシャーシに上下動可能に枢支されて光ピックアップ及びターンテーブルを
搭載したドライブシャーシとを有しており、ターンテーブルによりディスクを高速回転さ
せ、該ディスクに記録されている情報を光ピックアップで読み取るプレイモードからアン
ローディング信号に基づいてドライブシャーシを下動させることにより、ターンテーブル
からトレイにディスクを受け渡した後、該トレイを前面板部のディスク取出口を通って前
進させ、そのトレイからディスクを取り出し新たなディスクをトレイ上に載置し、電源オ
フによりドライブシャーシを下動状態で停止させトレイを後進側に強制的に押し込んだと
きに、そのトレイが筐体内に戻るように形成されたディスク装置において、前記主プリン
ト基板に対向して該主プリント基板よりも広幅の静電防止板が天板部及び底板部の他方側
壁に接近して天板部に垂設されると共に、該静電防止板の下端が主プリント基板の近傍ま
で延ばされていることを特徴とするディスク装置。
【請求項３】
前記筐体内に収納されているトレイの後部に接近して前記天板部に突起部が垂設される
と共に、該突起部の下端がトレイの上面よりも下方に位置決めされていることを特徴とす
る請求項２に記載のディスク装置。
【発明の詳細な説明】
【技術分野】
【０００１】
本発明は、例えばＤＶＤプレーヤなどのディスクの再生や記録または消去を行うための
ディスク装置に関し、特に、静電気による誤動作発生を防ぐと共に、ディスクの所謂なだ
れ込み現象を解消するものである。
【背景技術】
【０００２】
従来、ＤＶＤプレーヤの技術として特許文献１などに記載したものがあり、その一例を
図６〜図８に基づいて説明すると、これは、天板部１ａ及び底板部１ｂと前面板部１ｃと
により矩形箱状の合成樹脂製筐体１が形成され、該筐体１内に装置本体２が天板部１ａ及
び底板部１ｂの一方側壁２６，２７に接近して配置され、筐体１の装置本体２の周辺に平
面視略Ｌ字状のＡＶプリント基板３と電子部品Ａ付き主プリント基板４とが配置されてい
る。
【０００３】
前記装置本体２は、ディスクＤ載置用トレイ７を前後進ａ，ｂ可能に支持するメインシ
ャーシ８と、該メインシャーシ８に枢支軸９を中心に上下動ｃ，ｄ可能に枢支されて光ピ
ックアップ１０及びターンテーブル１１付きスピンドルモータ１２を搭載したドライブシ
ャーシ１３とを有し、該ドライブシャーシ１３の前面に突設したカム軸１４がカムスライ
ダ１５のカム溝１５ａに嵌入され、該カムスライダ１５がメインシャーシ８に前後進ａ，
ｂとは直交する左右方向ｅ，ｆにスライド可能に配置されており、該カムスライダ１５を
左方向ｅ（または右方向ｆ）にスライドさせることにより、ドライブシャーシ１３を上下
動ｃ，ｄさせるように形成されている。また、前記ターンテーブル１１に対向する磁石付
きディスクホルダ１７がメインシャーシ８の両側壁部８ａ間に架設した横桁１８に一定範
囲内昇降可能に配置されている。なお、図６中、１９はトレイ７の中央部に形成したディ
スク収納凹部、２０はメインシャーシ８の両側壁部８ａからトレイ７の両側縁凹段部７ａ
の上方まで延びる浮き上がり防止片である。
【０００４】
動作原理を説明すると、図６の実線及び図７（ａ）はプレイモードを示しており、スピ
ンドルモータ１２によりターンテーブル１１を介してディスクＤを高速回転させ、該ディ
スクＤに記録されている情報を光ピックアップ１０で読み取り、モニターに映像を再生す
る。
【０００５】
プレイモードからアンローディング信号が入力されると、図７（ｂ）に示すように、カ
ムスライダ１５を左方向ｅ（または右方向ｆ）にスライドさせてドライブシャーシ１３を
下動ｄさせることにより、ターンテーブル１１からトレイ７にディスクＤを受け渡した後
、該トレイ７を前面板部１ｃのディスク取出口２１を通って前進ａさせ、そのトレイ７か
らディスクＤを取り出し新たなディスクＤをトレイ７上に載置する。
【０００６】
続いて、ローディング信号が入力されると、図７（ａ）に示すように、トレイ７を後進
ｂさせて筐体１内に収納した後、カムスライダ１５を右方向ｆ（または左方向ｅ）にスラ
イドさせてドライブシャーシ１３を上動ｃさせることにより、トレイ７上のディスクＤを
ターンテーブル１１とディスクホルダ１７とで挟持する。
【０００７】
前記主プリント基板４は、矩形板状であって、その３つの角部に挿通孔４ａが貫設され
ており、底板部１ｂの底面に一体突設した複数の脚杆２８上に載置され、中央の挿通孔４
ａを脚杆２８の上面に一体突設した係止ピン２９に嵌合させると共に、残りの対角線に沿
って対向する２つの挿通孔４ａを通って各脚杆２８のねじ孔にビス３０をねじ込むことに
より、底板部１ｂに固定され、ビス３０を介してアース接続（グラウンド）されている。
【０００８】
静電試験の手順を説明すると、図６及び図８に示すように、静電テスタ３３を筐体１の
外周に沿って移動させつつ静電気を起こし、その静電気によって装置本体２やＡＶプリン
ト基板３及び主プリント基板４の電子部品Ａが誤動作するか否かをチェックする。
【特許文献１】特開平６−２５１４７９号公報
【発明の開示】
【発明が解決しようとする課題】
【０００９】
上記構成では、ディスク装置の小型化の要請に基づいて、主プリント基板４を他方側壁
３１，３２にわずかな隙間（例えば２、３ｍｍ程度）をおいて接近させているため、静電
テスタ３３により静電試験を行うと、静電気が他方側壁３１，３２間の隙間３４を通って
ビス３０や電子部品Ａにショートし、その電子部品Ａが誤動作したり破壊されるおそれが
ある。
【００１０】
また、図９に実線で示すように、アンローディング信号に基づいてトレイ７を前進ａさ
せた状態で電源オフにすると、ドライブシャーシ１３が下動ｄ状態のままで停止され、こ
の状態で、指部によりトレイ７を後進ｂ側に強制的に押し込んで、そのトレイ７を筐体１
内に戻すと、ターンテーブル１１が下がったままで、そのターンテーブル１１とディスク
ホルダ１７とでトレイ７上のディスクＤが挟持されない。
【００１１】
上記のようにディスクＤを挟持していない状態で、図９に仮想線で示すように、筐体１
を例えば別の場所に運ぶために傾けると、ディスク収納凹部１９内に収納されているディ
スクＤが後進ｂ側に離脱され、図６にイ位置で示すように、ディスクＤの後ろ半分がトレ
イ７からはみ出るぐらいに外れて、所謂なだれ込み現象が生じる。
【００１２】
この状態から電源オンとし、アンローディング信号に基づいてトレイ７を前進ａさせる
と、ディスクＤが後方に取り残されて筐体１内に落ち込んだり、前進ａするトレイ７と横
桁１８とでディスクＤが挟まれるおそれがある。
【００１３】
本発明は、上記従来の欠点に鑑み、静電気による誤動作発生を防ぐと共に、ディスクの
所謂なだれ込み現象を解消したディスク装置を提供することを目的としている。
【課題を解決するための手段】
【００１４】
上記目的を達成するため、請求項１に記載の発明は、天板部及び底板部と前面板部とに
より矩形箱状の合成樹脂製筐体が形成され、該筐体内に装置本体が天板部及び底板部の一
方側壁に接近して配置されると共に、その筐体内の装置本体に隣接する電子部品付き主プ
リント基板が天板部及び底板部の他方側壁に接近して配置され、前記装置本体が、ディス
ク載置用トレイを前後進可能に支持するメインシャーシと、該メインシャーシに上下動可
能に枢支されて光ピックアップ及びターンテーブルを搭載したドライブシャーシとを有し
ており、ターンテーブルによりディスクを高速回転させ、該ディスクに記録されている情
報を光ピックアップで読み取るプレイモードからアンローディング信号に基づいてドライ
ブシャーシを下動させることにより、ターンテーブルからトレイにディスクを受け渡した
後、該トレイを前面板部のディスク取出口を通って前進させ、そのトレイからディスクを
取り出し新たなディスクをトレイ上に載置し、電源オフによりドライブシャーシを下動状
態で停止させトレイを後進側に強制的に押し込んだときに、そのトレイが筐体内に戻るよ
うに形成されたディスク装置において、前記主プリント基板に対向して該主プリント基板
よりも広幅の静電防止板が天板部及び底板部の他方側壁に接近して天板部に垂設されると
共に、該静電防止板の下端が主プリント基板の近傍まで延ばされ、筐体内に収納されてい
るトレイの後部に接近して前記天板部に突起部が一体突設されると共に、該突起部の下端
がトレイの上面よりも下方に位置決めされていることを特徴としている。
【００１５】
請求項２に記載の発明は、天板部及び底板部と前面板部とにより矩形箱状の合成樹脂製
筐体が形成され、該筐体内に装置本体が天板部及び底板部の一方側壁に接近して配置され
ると共に、その筐体内の装置本体に隣接する電子部品付き主プリント基板が天板部及び底
板部の他方側壁に接近して配置され、前記装置本体が、ディスク載置用トレイを前後進可
能に支持するメインシャーシと、該メインシャーシに上下動可能に枢支されて光ピックア
ップ及びターンテーブルを搭載したドライブシャーシとを有しており、ターンテーブルに
よりディスクを高速回転させ、該ディスクに記録されている情報を光ピックアップで読み
取るプレイモードからアンローディング信号に基づいてドライブシャーシを下動させるこ
とにより、ターンテーブルからトレイにディスクを受け渡した後、該トレイを前面板部の
ディスク取出口を通って前進させ、そのトレイからディスクを取り出し新たなディスクを
トレイ上に載置し、電源オフによりドライブシャーシを下動状態で停止させトレイを後進
側に強制的に押し込んだときに、そのトレイが筐体内に戻るように形成されたディスク装
置において、前記主プリント基板に対向して該主プリント基板よりも広幅の静電防止板が
天板部及び底板部の他方側壁に接近して天板部に垂設されると共に、該静電防止板の下端
が主プリント基板の近傍まで延ばされていることを特徴としている。
【００１６】
請求項３に記載の発明は、請求項２に記載の発明において、前記筐体内に収納されてい
るトレイの後部に接近して前記天板部に突起部が垂設されると共に、該突起部の下端がト
レイの上面よりも下方に位置決めされていることを特徴としている。
【発明の効果】
【００１７】
請求項１に記載の発明は実施の一形態（図１〜図５参照）に対応するものであって、こ
れによれば、静電防止板により他方側壁間の隙間と主プリント基板とをつなぐ沿面距離が
長くなっているので、静電テスタにより静電試験を行っても、静電気が主プリント基板上
の電子部品にショートせず、その電子部品が誤動作したり破壊されるおそれがない。
【００１８】
また、筐体を例えば別の場所に運ぶために傾けることにより、トレイ上からディスクが
後進側に離脱しようとしても、トレイの後部に接近して筐体の天板部に突起部が垂設され
ているので、該突起部の上を越えてディスクが後進側に離脱することがないし、その突起
部の下端がトレイの上面よりも下方に位置決めされているので、その突起部の下をくぐり
抜けてディスクが後進側に離脱することもなく、所謂なだれ込み現象を確実に解消してデ
ィスクをトレイ上にとどめて置くことができ、そのディスクをトレイの前進により筐体外
にスムーズに取り出すことができる。
【００１９】
請求項２に記載の発明は基本形態に相当するものであって、静電防止板により他方側壁
間の隙間と主プリント基板とをつなぐ沿面距離が長くなっているので、静電テスタにより
静電試験を行っても、静電気が主プリント基板上の電子部品にショートせず、その電子部
品が誤動作したり破壊されるおそれがない。
【００２０】
請求項３に記載の発明によれば、筐体を例えば別の場所に運ぶために傾けることにより
、トレイ上からディスクが後進側に離脱しようとしても、トレイの後部に接近して筐体の
天板部に突起部が垂設されているので、該突起部の上を越えてディスクが後進側に離脱す
ることがないし、その突起部の下端がトレイの上面よりも下方に位置決めされているので
、その突起部の下をくぐり抜けてディスクが後進側に離脱することもなく、所謂なだれ込
み現象を確実に解消してディスクをトレイ上にとどめて置くことができ、そのディスクを
トレイの前進により筐体外にスムーズに取り出すことができる。
【発明を実施するための最良の形態】
【００２１】
図１〜図３は本発明の実施の一形態であるＤＶＤプレーヤ（ディスク装置）を示すもの
であって、主プリント基板４に対向して該主プリント基板４の幅Ｌ１よりも幅Ｌ２が広い
静電防止板３６が他方側壁３１，３２に接近して天板部１ａに垂設されると共に、該静電
防止板３６の下端が主プリント基板４の近傍まで延ばされている。また、筐体１内に収納
されているトレイ７の後部に接近して天板部１ａの下面に突起部２４ａ〜２４ｃが垂設さ
れている。上記以外の構成は図６及び図７に示す構成とほぼ同じであるから、同一部分に
同一符号を付してその説明を省略する。
【００２２】
上記構成によれば、他方側壁３１，３２間の隙間３４からその他方側壁３１，３２と静
電防止板３６との間の細い通路３７を通って主プリント基板５に至る沿面距離が長くなっ
ているので、静電テスタにより静電試験を行っても、静電気が主プリント基板４上の電子
部品Ａにショートせず、その電子部品Ａが誤動作したり破壊されるおそれがない。
【００２３】
前記突起部２４ａ〜２４ｃは、この実施の形態では、ディスク収納凹部１９から後進ｂ
側に離脱するディスクＤの外周縁ロ（図１参照）に沿って左右方向ｅ，ｆに所定間隔をお
いて３本設けられており、その中央の突起部２４ｂは、トレイ７の後端縁中央部に接近し
てその後方に位置決めされ、その左右両突起部２４ａ，２４ｃは、トレイ７の両側縁凹段
部７ａの上方に位置決めされており、その各突起部２４ａ〜２４ｃの下端がトレイの上面
７ｂよりも所定間隔βをおいて下方に位置決めされている。
【００２４】
動作原理は図６及び図７に示す従来例とほぼおなじであるから、その説明を省略する。
そして、図４に示すように、電源オフによりドライブシャーシ１３を下動ｄ状態で停止さ
せ、指部によりトレイ７を後進ｂ側に強制的に押し込むことにより、ターンテーブル１１
とディスクホルダ１７とでトレイ７上のディスクＤが挟持されていないときに、筐体１を
例えば別の場所に運ぶために傾けると、図５（ａ）に示すように、ディスク収納凹部１９
内に収納されているディスクＤが後進ｂ側に離脱されるが、トレイ７の後部に接近して天
板部１ａの下面に突起部２４ａ〜２４ｃが垂設されているので、該突起部２４ａ〜２４ｃ
の上を越えてディスクＤが後進ｂ側に離脱することがないし、その突起部２４ａ〜２４ｃ
の下端がトレイ７の上面７ｂよりも下方に位置決めされているので、その突起部２４ａ〜
２４ｃの下をくぐり抜けてディスクＤが後進ｂ側に離脱することもなく、所謂なだれ込み
現象を確実に解消してディスクＤをトレイ７上にとどめて置くことができ、図５（ｂ）に
示すように、アンローディング信号に基づいてトレイ７を前進ａさせたときに、該トレイ
７の上面７ｂと横桁１８との間の間隔αがディスクＤの厚さ以上に充分に大きく確保され
ているので、そのディスクＤをトレイ７の前進ａにより筐体１外にスムーズに取り出すこ
とができる。
【００２５】
また、突起部２４ａ〜２４ｃが合成樹脂により形成されているので、その突起部２４ａ
〜２４ｃと装置本体２内の電子部品との間で電気的にショートするおそれがない。
【００２６】
上記構成では、３本の突起部２４ａ〜２４ｃを突設したが、その左右両突起部２４ａ，
２４ｃを削除し、その中央の突起部２４ｂだけを残すようにしてもよい。
【産業上の利用可能性】
【００２７】
上記の実施の一形態では、再生専用のＤＶＤプレーヤを例にあげて説明したが、これに
限定されるわけではなく、例えば再生や録画または消去を行うＤＶＤレコーダなどの各種
のディスク装置にも適用される。
【図面の簡単な説明】
【００２８】
【図１】本発明の実施の一形態であるディスク装置の水平断面図である。
【図２】同横断面図である。
【図３】同要部の斜視図である。
【図４】同ディスク離脱阻止状態を示す縦断面図である。
【図５】（ａ）は同離脱阻止作用の前半を示す要部の拡大縦断面図、（ｂ）は同離脱阻止作用の後半を示す要部の拡大縦断面図である。
【図６】従来の一例を示す水平断面図である。
【図７】（ａ）はプレイモードを示す縦断面図、（ｂ）はアンローディング状態の縦断面図である。
【図８】同横断面図である。
【図９】同ディスク離脱阻止状態を示す縦断面図である。
【符号の説明】
【００２９】
１                      筐体
１ａ                    筐体の天板部
１ｂ                    筐体の底板部
１ｃ                    筐体の前面板部
２                      装置本体
７                      トレイ
７ｂ                    トレイの上面
８                      メインシャーシ
１０                    光ピックアップ
１１                    ターンテーブル
１３                    ドライブシャーシ
２４ａ〜２４ｃ          突起部
２６，２７              天板部及び底板部の一方側壁
３１，３２              天板部及び底板部の他方側壁
３６                    静電防止板
Ｄ                      ディスク
ａ，ｂ                  前後進
ｃ，ｄ                  上下動
【図１】
2006196102.tif 000003
【図２】
2006196102.tif 000004
【図３】
2006196102.tif 000005
【図４】
2006196102.tif 000006
【図５】
2006196102.tif 000007
【図６】
2006196102.tif 000008
【図７】
2006196102.tif 000009
【図８】
2006196102.tif 000010
【図９】
2006196102.tif 000011